(57)【要約】【課題】集合玄関機にて居住者別のサービス情報の確認と削除を可能とすることにより利便性を高めることができる集合住宅インターホンシステムを提供する。【解決手段】集合住宅において、制御装置ＣＰＵは、認証装置により認証された居住者のサービス情報を玄関機表示部に表示して確認させた後、不要であるサービス情報を削除するための所定の操作がおこなわれたことを検出すると、居室親機サービス情報保持メモリに記憶されたサービス情報を削除するためのサービス情報削除信号を送出することを特徴とする。【選択図】図１
2012074971.tif 000002
【特許請求の範囲】
【請求項１】
集合住宅において、集合住宅の管理者が使用する管理室親機と、エントランスに設置される集合玄関機と、集合玄関機からの呼出に応答し、通話するための各居室に設置された居室親機と、前記居室親機、前記集合玄関機、前記管理室親機をそれぞれ制御するための制御装置と、前記居室親機ごとに登録された居住者情報に基づいて、居住者の認証を行う認証装置と、から構成され、
前記管理室親機は、荷物を預かったこと等のサービス情報を居住者ごと前記居室親機に通知するためのサービス情報通知信号を送出する管理室親機ＣＰＵを備え、
前記居室親機は、前記サービス情報通知信号を受信するとサービス情報の内容を記憶する居室親機サービス情報保持メモリを備え、
前記制御装置は、前記管理室親機から送信されたサービス情報通知信号に基づいて、居室親機ＩＤ及びサービス情報の内容を記憶する制御装置サービス情報保持メモリと、前記認証装置の操作により前記居室親機ＩＤが付加されたサービス情報確認信号を受信して、前記制御装置サービス情報保持メモリと照合し、該当するサービス情報を読み出して前記集合玄関機の玄関機表示部に表示する制御をおこなう制御装置ＣＰＵを備える集合住宅インターホンシステムであって、
前記制御装置ＣＰＵは、前記認証装置により認証された居住者のサービス情報を前記玄関機表示部に表示して確認させた後、不要であるサービス情報を削除するための所定の操作がおこなわれたことを検出すると、前記居室親機サービス情報保持メモリに記憶されたサービス情報を削除するためのサービス情報削除信号を送出することを特徴とする集合住宅インターホンシステム。
【請求項２】
集合住宅において、エントランスに設置される集合玄関機と、集合玄関機からの呼出に応答し、通話するための各居室に設置された居室親機と、前記居室親機、前記集合玄関機をそれぞれ制御するための制御装置と、前記居室親機ごとに登録された居住者情報に基づいて、居住者の認証を行う認証装置と、から構成され、
外部通信装置は、居住者に通知したい居住者別の荷物の預かったこと等をサービス情報として前記居室親機に通知するためのサービス情報通知信号を送出する外部通信装置ＣＰＵを備え、
前記居室親機は、前記サービス情報通知信号を受信するとサービス情報の内容を記憶する居室親機サービス情報保持メモリを備え、
前記制御装置は、前記外部通信装置から送信されたサービス情報通知信号に基づいて、居室親機ＩＤ及びサービス情報の内容を記憶する制御装置サービス情報保持メモリと、前記認証装置の操作により前記居室親機ＩＤが付加されたサービス情報確認信号を受信して、前記制御装置サービス情報保持メモリと照合し、該当するサービス情報を読み出して前記集合玄関機の玄関機表示部に表示する制御をおこなう制御装置ＣＰＵを備える集合住宅インターホンシステムであって、
前記制御装置ＣＰＵは、前記認証装置により認証された居住者のサービス情報を前記玄関機表示部に表示して確認させた後、不要であるサービス情報を削除するための所定の操作がおこなわれたことを検出すると、前記居室親機サービス情報保持メモリに記憶されたサービス情報を削除するためのサービス情報削除信号を送出することを特徴とする集合住宅インターホンシステム。
【発明の詳細な説明】
【技術分野】
【０００１】
本発明は、集合住宅インターホンシステムに係わり、特にサービス情報の削除に際して、集合住宅の共用部から居住者の認証を行う際に集合玄関用インターホンにて、居住者別のサービス情報を削除することができる集合住宅インターホンシステムに関するものである。
【背景技術】
【０００２】
従来から、この種の集合住宅インターホンシステムとして、来訪者が集合玄関機から呼び出したい居室番号をキー入力し、居室呼び出しを行なって居住者が在宅の場合、居室親機のハンドセットアップにより通話状態に入る集合住宅インターホンシステムにおいて、来訪者が集合玄関機から呼び出したい居室番号をキー入力し、居室呼び出しを行なったとき居住者が留守の場合、集合玄関機の表示画面に来訪者の連絡先の入力を求めるメッセージを表示させ、連絡先をキー入力し、集合玄関機の登録ボタンを押すことにより、その内容をメモリに格納し、居室親機に来客からの連絡先メッセージがあったことをメッセージ表示灯が点滅することにより知らせ、居住者が帰宅後、メッセージ読出ボタンを押すことにより居室親機の表示画面に来訪者の連絡先を表示させるような構成のものが知られている（例えば、特許文献１参照）。
【０００３】
このような構成の集合住宅インターホンシステムによれば、来訪者は呼出時において呼び出した居住者が留守の場合には、集合玄関機に設けられる表示画面に出力表示される留守を示すメッセージにより容易に確認することができると共に、その確認時に電話番号等の連絡先を入力し記憶させることができる上、留守時に呼び出された居住者は、帰宅時において居室親機に設けられるメッセージ表示灯の点滅により留守時において来訪者の呼び出しおよびその連絡先の存在を容易に確認することができ、読出操作により記憶されていた電話番号等の連絡先を出力表示させ確認することができることから、帰宅時の居住者に留守時に来客があったこと報知することができる。
【先行技術文献】
【特許文献】
【０００４】
【特許文献１】特開平１１−３４１１６９号公報
【発明の開示】
【発明が解決しようとする課題】
【０００５】
しかしながら、このような集合住宅インターホンシステムの場合、居住者は自分の住戸に帰らなければ情報の確認をおこなうことができない。また同様に、管理人が荷物を預かっているといった情報についても自分の住戸に帰らなければ確認できず、その情報も居室親機で削除する必要があった。
【０００６】
本発明では、このような難点を解決するためになされたものであって、集合玄関機にて居住者別のサービス情報の確認と削除を可能とすることにより利便性を高めることができる集合住宅インターホンシステムを提供することを目的としている。
【課題を解決するための手段】
【０００７】
上述の目的を達成するため、本発明の第１の態様である集合住宅インターホンシステムは、集合住宅において、集合住宅の管理者が使用する管理室親機と、エントランスに設置される集合玄関機と、集合玄関機からの呼出に応答し、通話するための各居室に設置された居室親機と、居室親機、集合玄関機、管理室親機をそれぞれ制御するための制御装置と、居室親機ごとに登録された居住者情報に基づいて、居住者の認証を行う認証装置と、から構成され、管理室親機は、荷物を預かったこと等のサービス情報を居住者ごと居室親機に通知するためのサービス情報通知信号を送出する管理室親機ＣＰＵを備え、居室親機は、サービス情報通知信号を受信するとサービス情報の内容を記憶する居室親機サービス情報保持メモリを備え、制御装置は、管理室親機から送信されたサービス情報通知信号に基づいて、居室親機ＩＤ及びサービス情報の内容を記憶する制御装置サービス情報保持メモリと、認証装置の操作により居室親機ＩＤが付加されたサービス情報確認信号を受信して、制御装置サービス情報保持メモリと照合し、該当するサービス情報を読み出して集合玄関機の玄関機表示部に表示する制御をおこなう制御装置ＣＰＵを備える集合住宅インターホンシステムであって、制御装置ＣＰＵは、認証装置により認証された居住者のサービス情報を玄関機表示部に表示して確認させた後、不要であるサービス情報を削除するための所定の操作がおこなわれたことを検出すると、居室親機サービス情報保持メモリに記憶されたサービス情報を削除するためのサービス情報削除信号を送出することを特徴とする。
【０００８】
また、本発明の第２の態様である集合住宅インターホンシステムは、集合住宅において、エントランスに設置される集合玄関機と、集合玄関機からの呼出に応答し、通話するための各居室に設置された居室親機と、居室親機、集合玄関機をそれぞれ制御するための制御装置と、居室親機ごとに登録された居住者情報に基づいて、居住者の認証を行う認証装置と、から構成され、外部通信装置は、居住者に通知したい居住者別の荷物の預かったこと等をサービス情報として居室親機に通知するためのサービス情報通知信号を送出する外部通信装置ＣＰＵを備え、居室親機は、サービス情報通知信号を受信するとサービス情報の内容を記憶する居室親機サービス情報保持メモリを備え、制御装置は、外部通信装置から送信されたサービス情報通知信号に基づいて、居室親機ＩＤ及びサービス情報の内容を記憶する制御装置サービス情報保持メモリと、認証装置の操作により居室親機ＩＤが付加されたサービス情報確認信号を受信して、制御装置サービス情報保持メモリと照合し、該当するサービス情報を読み出して集合玄関機の玄関機表示部に表示する制御をおこなう制御装置ＣＰＵを備える集合住宅インターホンシステムであって、制御装置ＣＰＵは、認証装置により認証された居住者のサービス情報を玄関機表示部に表示して確認させた後、不要であるサービス情報を削除するための所定の操作がおこなわれたことを検出すると、居室親機サービス情報保持メモリに記憶されたサービス情報を削除するためのサービス情報削除信号を送出することを特徴とする。
【発明の効果】
【０００９】
請求項１及び請求項２の発明によれば、管理人から送信されたサービス情報を集合玄関機で確認した場合、当該集合玄関機においてサービス情報の削除操作をすれば、居室親機に記憶されたサービス情報の通知を同時に削除することができるので居住者は帰宅後に再度同じサービス情報を確認したり削除操作したりする必要がなくなり、利便性が向上する。
【図面の簡単な説明】
【００１０】
【図１】本発明に係る実施形態である集合住宅インターホンシステムのブロック図である。
【発明を実施するための形態】
【００１１】
以下、本発明による集合住宅インターホンシステムを適用した好ましい形態の実施例について、図を参照して説明する。
この実施形態による集合住宅インターホンシステムは、図１のブロック図のように、集合住宅の管理者が使用する管理室親機１と、集合住宅のエントランス或いは各階のロビー等に設置された集合玄関機２と、集合玄関機からの呼出により来訪者と応答するための各住戸に設置された居室親機３と、居室親機３ごとに登録された居住者情報に基づいて、居住者の認証を行う認証装置５と、管理室親機１、集合玄関機２、居室親機３及び認証装置５を接続する集合住宅内に設置された制御装置４によって構成される。
【００１２】
また、本集合住宅インターホンシステムでは居室親機３への命令が可能な外部通信装置６をその構成に備える場合もあり、管理室親機１の代わりとする場合もある。
【００１３】
管理室親機１は、居室親機３を呼び出すための操作や、後述するサービス情報を送信する操作、各種設定をおこなうための管理室親機操作部１１と、居室番号の表示やその他の映像、画像が表示される管理室親機表示部１２と、制御装置４と通信するための管理室親機ＩＦ１３と、管理室親機１内の各部を制御するための管理室親機ＣＰＵ１４とから構成されている。
【００１４】
集合玄関機２は、居室親機３を呼び出すために居室番号を入力したり、呼び出し操作を行う、また、後述するサービス情報の確認及び削除操作をおこなうための玄関機操作部２１と、入力した部屋番号の表示、サービス情報の表示等がなされる玄関機表示部２２と、制御装置４と通信するための玄関機ＩＦと、集合玄関機１内の各部を制御するための玄関機ＣＰＵ２４とから構成されている。
【００１５】
居室親機３は、管理室を呼び出すための操作、各種設定操作、サービス情報を確認するための操作、確認したサービス情報を削除するための操作等をおこなう居室親機操作部３１と、集合玄関機２の図示しないカメラで撮像された来訪者の映像を出画したり、サービス情報を表示するための居室親機表示部３２と、サービス情報を受信し、当該サービス情報を記憶する居室親機サービス情報保持メモリ３３と、制御装置４と通信するための居室親機ＩＦ３４と、居室親機３内の各部を制御するための居室親機ＣＰＵ３５とから構成されている。
制御装置４は、サービス情報を受信し、当該サービス情報を記憶する制御装置サービス情報保持メモリ４１と、管理室親機１と通信するための第１の制御装置ＩＦ４２と、集合玄関機２と通信するための第２の制御装置ＩＦ４３と、居室親機３と通信するための第３の制御装置ＩＦ４４と、認証装置５と通信するための第４の制御装置ＩＦ４５と、外部通信装置６と通信するための第５の制御装置ＩＦ４６と、制御装置４内の各部を制御するための制御装置ＣＰＵ４７とから構成されている。
【００１６】
また、管理室親機１と共に、若しくはその代わりに外部通信装置６が接続され、居室親機３を呼び出すための操作や、後述するサービス情報を送信する操作、各種設定をおこなうための外部通信装置操作部６１と、居室番号の表示やその他の映像、画像が表示される外部通信装置表示部６２と、制御装置４と通信するための外部通信装置ＩＦ６３と、管理室親機１内の各部を制御するための外部通信装置ＣＰＵ６４とから構成されている。
【００１７】
このように構成された集合住宅インターホンシステムについて、以下、動作を説明する。
本実施例においては、宅配業者が留守中の居住者を訪ねた場合を想定して説明する。
【００１８】
宅配業者は、訪問先の居住者を呼び出すために集合玄関機２の玄関機操作部２１において居室番号を入力すると共に、呼出ボタンを操作する。すると、居室ＩＤ情報が付加された呼出信号が生成され、玄関機ＣＰＵ２４から呼出信号が玄関機ＩＦ２３を介して制御装置４に送信される。制御装置４では第２の制御装置ＩＦ４３を介して当該呼出信号を受信し、制御装置ＣＰＵ４７の制御により呼出信号を第３の制御装置ＩＦ４４を介して居室親機３に送信する。
このとき各居室親機３では呼出信号を居室親機ＩＦ３４を介して居室親機ＣＰＵ３５で受信し、この呼出信号が自居室宛であるかを居室ＩＤを参照して確認する。自居室宛である場合には、図示しないスピーカから呼出音を鳴動すると共に集合玄関機２の図示しないカメラで撮像された映像を同様の経路を介して居室親機３の居室親機表示部３２に出画させる。
【００１９】
これを確認した居住者は、居室親機操作部３１を操作して集合玄関機２と通話をおこなう。
居住者がいない場合、宅配業者は管理室に向かい、荷物を預かってもらう。このとき、管理人は、管理室親機１の管理室親機操作部１１を操作してサービス情報を対象の居室親機３に送信する。
具体的には、管理人は管理室親機１の管理室親機操作部１１により居室番号を入力し、荷物が届いているというメッセージを入力する。メッセージの入力は予め定められたフォーマットから選択しても良いし、別途入力して都度作成するような構成にしてもよい。
【００２０】
このサービス情報には居室ＩＤが付加されており、管理室親機ＩＦ１３を介して制御装置４に送付され、制御装置４では第１の制御装置ＩＦ４２を介して制御装置ＣＰＵ４７で受信する。この情報は、制御装置サービス情報保持メモリ４１に記憶されると共に、第３の制御装置ＩＦ４４を介して居室親機３に送信される。居室親機３では、居室親機ＩＦ３４を介して居室親機ＣＰＵ３５で当該サービス情報を受信し、制御装置４と同様、居室親機サービス情報保持メモリ３３に記憶する。
【００２１】
このとき、居室親機ＣＰＵ３５は、別途備えられる新着情報ＬＥＤ等を点灯／点滅させるようにして、居住者が帰宅したとき新着情報がある旨を視認させやすくすると好適である。
留守にしていた居住者が帰宅すると、居住者が所持するＩＤカード等を認証装置５にかざすと、居住者のＩＤ情報と認証装置５に予め記憶されたＩＤ情報を含む居住者情報とを比較照合し、一致した場合には、制御装置４に当該ＩＤ情報を送信する。制御装置４では、第４の制御装置ＩＦ４５を介して制御装置ＣＰＵ４７で受信し、制御装置サービス情報保持メモリ４１からＩＤ情報と関連付けられたサービス情報を読み出す。個々では、「管理人室にて荷物を預かっている」というサービス情報が読み出されて、集合玄関機２に送信する。
【００２２】
集合玄関機２では、玄関機ＩＦ２３を介して玄関機ＣＰＵ２４で受信し、玄関機表示部２２にサービス情報を表示する。
これを確認した居住者は、玄関機操作部２１で所定の操作を行うことで、サービス情報を削除することができる。具体的には、玄関機操作部２１では、サービス情報削除ボタンを操作すると、ＩＤ情報と共に、該当するサービス情報を特定するサービス情報削除信号を制御装置４に送信する。このサービス情報削除信号は、制御装置ＣＰＵ４７で受信されると、制御装置サービス情報保持メモリ４１に記憶している該当するサービス情報を削除すると共に、居室親機３にもサービス情報削除信号を送信する。
【００２３】
居室親機３では、居室親機ＩＦ３４を介して居室親機ＣＰＵ３５でサービス情報削除信号を受信すると、インターホン親機サービス情報保持メモリ３３に記憶されたサービス情報を削除する制御をおこなう。これにより、新着ＬＥＤの点灯／点滅も消灯させて、新着がない状態に移行させる。
これにより、居住者は集合玄関機２で既に確認したサービス情報を帰宅した後も確認、削除する必要がなく利便性が向上する。
なお、本実施例において、認証装置５を集合玄関機２と別体で構成した例を記載しているが、一体で構成しても同様の効果を奏する。
【００２４】
さらに、管理室親機１の代わりに外部通信装置６を用いたものであっても良い。外部通信装置としては、ネットワークを介した機器であり遠隔で操作できるものであったり、管理者用のパーソナルコンピュータ等がそれに相当する。
また、上記実施例において、居室親機サービス上保持メモリ３３及び制御装置サービス情報保持メモリ４１のサービス情報を削除しているが、制御装置サービス情報保持メモリ４１のサービス情報はそのまま保持させてもよい。
【符号の説明】
【００２５】
１・・・管理室親機
１１・・・管理室親機操作部
１２・・・管理室親機表示部
１４・・・管理室親機ＣＰＵ
２・・・集合玄関機
２１・・・玄関機操作部
２２・・・玄関機表示部
２４・・・玄関機ＣＰＵ
３・・・居室親機
３１・・・居室親機操作部
３２・・・居室親機表示部
３３・・・居室親機サービス情報保持メモリ
３５・・・居室親機ＣＰＵ
４・・・制御装置
４１・・・制御装置サービス情報保持メモリ
４７・・・制御装置ＣＰＵ
【図１】
2012074971.tif 000003